(57)【要約】【課題】チャネル多重伝送装置及びチャネル多重伝送制御方法に関し、複数のチャネル盤に対する実装位置や占有帯域等の構成情報設定を容易とする。【解決手段】多重化部１と複数のチャネル盤２とを含むチャネル多重伝送装置であって、多重化部１は、多重処理部３と、制御処理部４とを含み、チャネル盤２はチャネル制御部６を含む構成を有し、多重化部１の制御処理部４は、チャネル盤２の実装情報を基にクロック供給とデータの受信指示のイネーブル信号の送信と、チャネル盤２のチャネル制御部６からのデータ受信帯域を示すアクノリッジ信号の受信とを、実装情報送出のチャネル盤に対して順次繰り返して、多重処理部３と実装した複数のチャネル盤との間で、受信データ及び送信データの転送制御を行う。【選択図】図１
2011259358.tif 000002
【特許請求の範囲】
【請求項１】
多重化部と複数のチャネル盤とを含むチャネル多重伝送装置に於いて、
前記多重化部は、複数のチャネル盤に多重分離した受信データを転送し、且つ前記チャネル盤からの送信データを多重化する多重処理部と、前記複数のチャネル盤の実装情報を基にクロック供給と、前記チャネル盤に転送する受信データの先頭位置を示すイネーブル信号の送出と、前記チャネル盤からの前記受信データの受信終了位置を示すアクノリッジ信号の受信とを行って前記多重処理部を制御する制御処理部とを備え、
前記チャネル盤は、前記多重化部の前記多重処理部との間の受信データ及び送信データの転送処理を行うと共に、前記イネーブル信号受信により前記受信データの受信処理を開始し、該受信データの受信の終了を示すアクノリッジ信号を前記制御処理部へ送信する制御処理を行うチャネル制御部を備えた
ことを特徴とするチャネル多重伝送装置。
【請求項２】
前記多重化部は、複数の実装スロットに実装した前記チャネル盤の実装配置順に従った実装情報を基に先頭側から前記イネーブル信号を送出し、該イネーブル信号に対応するチャネル盤からの前記アクノリッジ信号の受信により、次の実装配置順を示す実装情報に従ってイネーブル信号を送出し、該イネーブル信号に対応するチャネル盤からのアクノリッジ信号の受信処理を順次繰り返し、実装情報を送出した前記チャネル盤に対してイネーブル信号の送信と、アクノリッジ信号の受信とに対応して多重分離した受信データを転送する制御処理を行う制御処理部を備えたことを特徴とする請求項１記載のチャネル多重伝送装置。
【請求項３】
前記多重化部は、前記制御処理部による前記イネーブル信号の送出と前記アクノリッジ信号の受信とに基づく前記チャネル盤に対する帯域割当ての制御を継続して行うか又はそれ以前の帯域割当ての制御を繰り返して行うかを選択切替えする設定スイッチを備えたことを特徴とする請求項１又は２記載のチャネル多重伝送装置。
【請求項４】
多重処理部と制御処理部とを含む構成の多重化部と、該多重化部との間でデータを転送する複数のチャネル盤とを含み、前記チャネル盤対応の帯域幅のデータ転送制御を行うチャネル多重伝送制御方法に於いて
前記多重化部の前記制御処理部は、前記チャネル盤からの実装情報及びアクノリッジ信号の受信処理機能と、前記チャネル盤へのクロック供給及びイネーブル信号の送信処理機能とを含み、前記チャネル盤は、前記多重化部との間のデータの送受信手段とチャネル制御部とを含み、前記多重化部の前記制御処理部は、前記実装情報を基に前記チャネル盤に対して転送する受信データの転送開始位置を示すイネーブル信号を送出して、前記多重化部から前記チャネル盤に対して受信データの転送を開始し、前記イネーブル信号を受信した前記チャネル盤の前記チャネル制御部は、前記イネーブル信号の受信により、帯域割当ての期間相当のアクノリッジ信号を前記多重化部の前記制御処理部へ送出し、前記多重化部の前記制御処理部は、前記アクノリッジ信号を基に次のチャネル盤に対するイネーブル信号の送出開始処理を行う制御処理過程を含む
ことを特徴とするチャネル多重伝送制御方法。
【請求項５】
前記多重化部の前記制御処理部は、前記チャネル盤の実装位置の順序に従って実装情報を管理し、該実装情報を基にチャネル盤の実装位置の先頭側から順次データ送信開始を示すイネーブル信号を送信し、該イネーブル信号を受信した前記チャネル盤から受信データ処理期間を示すアクノリッジ信号を受信して、次の実装位置のチャネル盤に対するイネーブル信号の送信処理を開始する制御処理過程を含むことを特徴とする請求項４のチャネル多重伝送制御方法。
【発明の詳細な説明】
【技術分野】
【０００１】
本発明は、複数チャネルのデータを時分割多重して送受信を行うチャネル多重伝送装置及びチャネル多重伝送制御方法に関する。
【背景技術】
【０００２】
データの送受信処理を行うチャネル盤を複数個実装して、多重化部との間でチャネル対応のデータの転送処理を行い、多重化部に於いて時分割多重して伝送路を介して他のチャネル多重伝送装置へ送信し、又他のチャネル多重伝送装置から伝送路を介して受信した時分割多重信号を多重化部に於いて分離処理して、各チャネル盤へ転送するチャネル多重伝送装置は、既に各種の構成が提案され、且つ実用化されている。通常のチャネル多重伝送装置は、例えば、図６に示す構成を有するものであり、１００はチャネル多重伝送装置、１０１は多重化部、１０２はチャネル盤、１０３は伝送路ＩＦ部（伝送路インタフェース部）を示す。伝送路ＩＦ部１０３は、対向局との間を伝送路により接続し、時分割多重信号の送受信処理を行うインタフェース部であり、又多重化部１０１は、伝送路ＩＦ部１０３で受信処理した時分割多重信号をチャネル盤１０２対応に分離して転送し、チャネル盤１０２から図示を省略した端末へ転送する。又端末からのデータをチャネル盤１０２から多重化部１０１へ転送し、チャネル盤１０１に於いて時分割多重化して、伝送路ＩＦ部１０３を介して対向局へ送出する。
【０００３】
チャネル多重伝送装置１００は、例えば、図７に示すように、伝送路ＩＦ部１０３と多重化部１０１と複数個のチャネル盤１０２とは、筐体の実装スロットに挿入することにより、図示を省略しているバックボードパネルの配線によって、相互間の所定の接続構成を実現する構成が一般的である。そして、各チャネル盤１０２の実装情報を多重化部１０１等に於いて収集し、実装されているチャネル盤１０２対応の時分割多重化及び時分割多重分離の処理を行うものである。その為に、チャネル盤１０２の実装情報は、例えば、図８に概略構成を示すように、多重化部１０１に対する各チャネル盤１０２からアース（ＧＮＤ）情報として通知することができる。この場合、多重化部１０１は、チャネル盤１０２の実装スロット対応のバックボードパネルの配線を介して実装情報を収集し、実装チャネル盤との間でデータの送受信を行う。このようなチャネル多重伝送装置に於いて、時分割多重化を行う各タイムスロットの位置及び個数の割当てを、テーブルに設定して制御し、テーブル内容の変更により、チャネル対応の伝送帯域の設定制御や変更制御を可能とする手段も知られている（例えば、特許文献１参照）。
【先行技術文献】
【特許文献】
【０００４】
【特許文献１】特開平８−１４９１０２号公報
【発明の概要】
【発明が解決しようとする課題】
【０００５】
チャネル多重伝送装置に於いて、チャネル盤の実装スロットは、通常同一間隔で形成されており、帯域や寸法等が総て同一のチャネル盤のみを実装する場合は、実装情報収集のみで、実装チャネル盤に対するそれぞれ同一の帯域割当て処理を行うことが可能であり、その場合は、チャネル盤の交換や実装位置の変更に対しても、実装情報の収集のみで対処することが可能である。しかし、実装された総てのチャネル盤の処理帯域が同一でなく、異なる処理帯域のチャネル盤も実装されている場合、実装情報のみでなく、帯域情報も必要となり、その場合は、前述の特許文献１に示すように、チャネル対応の伝送帯域設定構成及び更新処理構成を必要とすることになり、更に、チャネル盤の交換時や伝送帯域変更時の設定変更処理が容易でなく、且つ設定変更処理に誤りが含まれる場合は、その後の正常な安定処理が困難となる問題がある。
【０００６】
本発明は、前述の従来の問題点を解決することを目的とし、処理帯域や実装幅等が相違するチャネル盤を実装しても、帯域割当てテーブル等を設けることなく、多重化部に於いてチャネル盤対応の多重化処理及び多重分離処理を可能とするものである。
【課題を解決するための手段】
【０００７】
本発明のチャネル多重伝送装置は、多重化部と複数のチャネル盤とを含むチャネル多重伝送装置であって、前記多重化部は、複数のチャネル盤に多重分離した受信データを転送し、且つチャネル盤からの送信データを多重化する多重処理部と、複数のチャネル盤の実装情報を基にクロック供給と、チャネル盤に転送する受信データの先頭位置を示すイネーブル信号の送出と、チャネル盤からの受信データの受信終了位置を示すアクノリッジ信号の受信とを行って、多重処理部を制御する制御処理部とを備え、前記チャネル盤は、多重化部の多重処理部との間の受信データ及び送信データの転送処理を行うと共に、前記イネーブル信号受信により前記受信データの受信処理を開始し、この受信データの受信の終了を示すアクノリッジ信号を前記制御処理部へ送信する制御処理を行うチャネル制御部を備えている。
【０００８】
又前記多重化部は、複数の実装スロットに実装した前記チャネル盤の実装配置順に従った実装情報を基に先頭側からイネーブル信号を送出し、このイネーブル信号に対応するチャネル盤からのアクノリッジ信号の受信により、次の実装配置順を示す実装情報に従ってイネーブル信号を送出し、このイネーブル信号に対応するチャネル盤からのアクノリッジ信号の受信処理を順次繰り返し、実装情報を送出したチャネル盤に対して、イネーブル信号の送出と、アクノリッジ信号の受信とに対応して多重分離した受信データを転送する制御処理を行う制御処理部を備えている。
【０００９】
又前記多重化部は、前記制御処理部によるイネーブル信号の送出とアクノリッジ信号の受信とに基づく前記チャネル盤に対する帯域割当ての制御を継続して行うか又はそれ以前の帯域割当ての制御を繰り返して行うかを選択切替えする設定スイッチを備えている。
【００１０】
本発明のチャネル多重伝送制御方法は、多重処理部と制御処理部とを含む構成の多重化部と、この多重化部との間でデータを転送する複数のチャネル盤とを含み、チャネル盤対応の帯域幅のデータ転送制御を行うチャネル多重伝送制御方法であって、多重化部の制御処理部は、チャネル盤からの実装情報及びアクノリッジ信号の受信処理機能と、チャネル盤へのクロック供給及びイネーブル信号の送信処理機能とを含み、チャネル盤は、多重化部との間のデータの送受信手段とチャネル制御部とを含み、多重化部の制御処理部は、実装情報を基にチャネル盤に対して転送する受信データの転送開始位置を示すイネーブル信号を送出して、多重化部からチャネル盤に対して受信データの転送を開始し、イネーブル信号を受信したチャネル盤のチャネル制御部は、イネーブル信号の受信により、帯域割当ての期間相当のアクノリッジ信号を多重化部の前記制御処理部へ送出し、多重化部の制御処理部は、アクノリッジ信号を基に次のチャネル盤に対するイネーブル信号の送出開始処理を行う制御処理過程を含むものである。
【００１１】
又本発明のチャネル多重伝送制御方法は、前記多重化部の前記制御処理部は、前記チャネル盤の実装位置の順序に従って実装情報を管理し、この実装情報を基にチャネル盤の実装位置の先頭側から順次データ送信開始を示すイネーブル信号を送信し、このイネーブル信号を受信したチャネル盤から受信データ処理期間を示すアクノリッジ信号を受信して、次の実装位置のチャネル盤に対するイネーブル信号の送信処理を開始する制御処理過程を含むものである。
【発明の効果】
【００１２】
各チャネル盤は、処理帯域対応の時間長のアクノリッジ信号を、イネーブル信号受信によって多重化部の制御処理部へ送出することにより、多重処理部により時分割多重分離されたデータを受信処理するように、制御処理部に於いて制御するから、多重化部側で、各チャネル盤に対する処理帯域情報を設定することなく、多重分離データを転送することができる。従って、送信データの帯域も、受信データの帯域と同一に設定可能であるから、チャネル盤のデータ処理帯域変更時に於いて、多重処理部側の設定変更処理を必要としない利点があり、又全チャネル盤に対する処理帯域を認識して記憶した後に、その情報を繰り返し利用する場合、１チャネル盤を抜き出しても、実装状態のチャネル盤に対する制御を継続することが可能であり、チャネル盤の活線挿抜が可能となる。
【図面の簡単な説明】
【００１３】
【図１】本発明の実施例１の説明図である。
【図２】本発明の実施例１の帯域制御の説明図である。
【図３】本発明の実施例２の説明図である。
【図４】本発明の実施例２のチャネル盤の実装説明図である。
【図５】本発明の実施例２の帯域制御の説明図である。
【図６】チャネル多重伝送装置の説明図である。
【図７】チャネル盤の実装状態の説明図である。
【図８】チャネル盤の実装情報の説明図である。
【発明を実施するための形態】
【００１４】
本発明のチャネル多重伝送装置は、多重化部と複数のチャネル盤とを含むチャネル多重伝送装置であって、多重化部は、複数のチャネル盤に多重分離した受信データを転送し、且つチャネル盤からの送信データを多重化する多重処理部と、複数のチャネル盤の実装情報を基にクロック供給と、チャネル盤に転送する受信データの先頭位置を示すイネーブル信号の送出と、チャネル盤からの受信データの受信終了位置を示すアクノリッジ信号の受信とを行って、多重処理部に於ける時分割多重分離処理及び時分割多重化処理を制御する制御処理部とを備え、複数のチャネル盤は、多重化部の多重処理部との間の受信データ及び送信データの転送処理を行うと共に、イネーブル信号受信により、受信データの受信処理を開始し、この受信データの受信の終了を示すアクノリッジ信号を、制御処理部へ送信する制御処理を行うチャネル制御部を備えている。
【００１５】
本発明のチャネル多重伝送制御方法は、多重処理部と制御処理部とを含む構成の多重化部と、この多重化部との間でデータを転送する複数のチャネル盤とを含み、チャネル盤対応の帯域幅のデータ転送制御を行うチャネル多重伝送制御方法であって、多重化部の制御処理部は、チャネル盤からの実装情報及びアクノリッジ信号の受信処理機能と、チャネル盤へのクロック供給及びイネーブル信号の送信処理機能とを含み、チャネル盤は、多重化部との間のデータの送受信手段とチャネル制御部とを含み、多重化部の制御処理部は、実装情報を基にチャネル盤に対して転送する受信データの転送開始位置を示すイネーブル信号を送出して、多重化部からチャネル盤に対して受信データの転送を開始し、イネーブル信号を受信したチャネル盤のチャネル制御部は、イネーブル信号の受信により、帯域割当ての期間相当のアクノリッジ信号を多重化部の前記制御処理部へ送出し、多重化部の制御処理部は、アクノリッジ信号を基に次のチャネル盤に対するイネーブル信号の送出開始処理を行う制御処理過程を含むものである。
【実施例１】
【００１６】
図１は、本発明の実施例１の説明図であり、１は多重化部、２はチャネル盤、３は多重処理部、４は制御処理部、５は設定スイッチ、６はチャネル制御部を示し、実装スロットに実装するチャネル盤２は、複数個とするものであるが、１個のみを図示し、又対向局と伝送路を介して接続する為の伝送路ＩＦ部は図示を省略している。多重化部１は、多重処理部３と制御処理部４とを含む構成を有し、制御処理部４は、チャネル盤２の実装情報の認識と、チャネル盤２に供給するクロックの発生手段と、チャネル盤２に対するイネーブル信号の生成送出手段と、チャネル盤２からのアクノリッジ信号の受信識別手段と、帯域割当て動的制御と固定制御との設定切替えを行う設定スイッチ５とを含み、チャネル盤２対応の帯域幅の自動調整制御を行う制御構成を有する。又多重処理部３は、制御処理部４からの制御に従って、受信した時分割多重信号を時分割処理し、チャネル盤２に対して受信データとして転送し、又チャネル盤２からの送信データを多重化して、図示を省略した伝送路ＩＦ部を介して対向局へ送信する制御構成を有する。
【００１７】
又チャネル盤２は、チャネル多重伝送装置の筐体に形成した実装スロットに挿入して実装することにより、多重化部１の制御処理部４に対して、例えば、アース電位の実装情報を送出する構成と、図示を省略した端末との間のデータの連続的な送受信処理を可能とする為のバッファメモリ等を含む送受信手段と、チャネル制御部６とを含み、このチャネル制御部６は、多重化部１の制御処理部４からのクロックを受信してチャネル盤の各部の制御を行うと共に、制御処理部４からの受信データ転送開始を示すイネーブル信号を受信することにより、多重処理部３に於いて時分割多重分離した受信データの先頭を識別し、受信帯域幅に相当する時間幅のアクノリッジ信号を、多重化部１の制御処理部４へ送信する制御処理手段を含むものである。従って、チャネル盤２の処理帯域幅は、イネーブル信号受信を基に、アクノリッジ信号の送信時間幅により、多重化部１の制御処理部４へ通知することができる。即ち、チャネル盤２のチャネル制御部６は、多重化部１の制御処理部４から通知される受信データの先頭位置を示すイネーブル信号を受信すると、予め設定されたデータ送受信幅に対応する時間幅のアクノリッジ信号を、多重化部１の制御処理部４へ送出する構成を備えている。
【００１８】
図２は、本発明の実施例１の帯域制御の説明図であり、受信データのタイムスロットＴＳ１，ＴＳ２，・・・と、イネーブル信号とアクノリッジ信号との関係の一例を示すもので、制御処理部４からのイネーブル１，２，・・・と、各チャネル盤２のチャネル制御部６からのアクノリッジ１，２，・・・とについて示し、イネーブル１とアクノリッジ１との信号の組合せのチャネル盤は、タイムスロットＴＳ１の受信データを処理し、イネーブル２とアクノリッジ２との信号の組合せのチャネル盤は、タイムスロットＴＳ２〜ＴＳ４の受信データを処理し、イネーブル３とアクノリッジ３との信号の組合せのチャネル盤は、タイムスロットＴＳ５の受信データを処理する場合を示す。この場合、多重化部１の制御処理部４は、チャネル盤２からの実装情報により、実装位置を含めて実装チャネル盤を認識し、例えば、チャネル盤の実装順序に従って、受信データのタイムスロットの先頭位置を示すイネーブル信号を送出する。このイネーブル信号は、チャネル盤２に対する受信データの割当て受信タイミングを示すもので、このイネーブル信号を受信したチャネル盤２は、データ受信を開始すると共に予め割当てられた帯域幅を示す期間のアクノリッジ信号をアサートする。なお、このアクノリッジ信号は、多重化部１の制御処理部４に於いてエッジ検出が容易となるように、データ受信終了タイミング位置から例えば２クロック前にネゲートすることができる。即ち、アクノリッジ信号のアサートからネゲートまでの時間幅により、チャネル盤の受信処理帯域幅を、チャネル盤２から多重化部１の制御処理部４へ通知することによって、時分割処理した受信データを受信処理する。
【００１９】
従って、図２に示す場合、受信データのタイムスロットＴＳ１のデータを受信するチャネル盤に対して、タイムスロットＴＳ１直前のイネーブル１の信号を制御処理部４から送出し、イネーブル１の信号を受信したチャネル盤は、予め１タイムスロット分の割当てが行われている場合、前述のように、アクノリッジ１の信号をアサートし、タイムスロットＴＳ１の終了の２クロック前にネゲートする。制御処理部４は、アクノリッジの信号のネゲートを検出すると、次のタイムスロットＴＳ２のデータを受信するチャネル盤に対して、タイムスロットＴＳ２直前のイネーブル２の信号を送出する。このイネーブル２の信号を受信したチャネル盤のチャネル制御部は、３タイムスロットＴＳ２〜ＴＳ４の帯域を割当てられている場合を示し、従って、タイムスロットＴＳ４の終了２クロック前にアクノリッジ２の信号をネゲートする。このアクノリッジ２の信号のネゲートを検出した制御処理部４は、次のタイムスロットＴＳ５直前のイネーブル３の信号を、次のチャネル盤に送信する。前述のような制御処理を行うことにより、多重化部１と複数のチャネル盤２との間で、データの転送処理が行われる。
【００２０】
又多重化部１の制御処理部４は、指定したチャネル盤に対するイネーブル信号の送信と、それに対するアクノリッジ信号の受信とにより、チャネル盤対応の割当てタイムスロット順序位置とタイムスロット数とを認識できるから、図示を省略している記憶手段に記憶させ、実装全チャネル盤に対する全タイムスロットの割当て制御処理が一巡すると、その後は、通常、同一のシーケンスが繰り返され、記憶手段には、実装全チャネル盤に対する割当てタイムスロットが記憶される。そして、その後は、チャネル盤と割当てタイムスロットとの対応関係を記憶手段に上書きすることを繰り返す。そこで、設定スイッチ５により、イネーブル信号の送信とアクノリッジ信号の受信とを繰り返す帯域割り当ての動的制御と、記憶手段の記憶内容に基づく帯域割り当ての固定制御との切替えを可能とする制御構成を制御処理部４に設ける。設定スイッチ５は、この切替えを可能とする制御構成を示すもので、動的制御に切替えると、前述の制御処理を繰り返す。又固定制御に切替えると、記憶手段に記憶された内容に基づいた帯域制御が行われる。従って、チャネル盤からのアクノリッジ信号を受信できない場合、例えば、チャネル盤の活線挿抜を行う場合、抜き出したチャネル盤からのアクノリッジ信号は送出されないが、他のチャネル盤に対するタイムスロット割当て制御を継続することができる。
【実施例２】
【００２１】
図３は、本発明の実施例２の説明図であり、伝送路ＩＦ部７と多重化部１と複数のチャネル盤２とを実装してチャネル多重伝送装置を構成した場合を示し、チャネル盤Ａは、実装スロットＳ１〜Ｓ３の幅を有し、他のチャネル盤Ｂ，Ｃ，・・・は、それぞれ実装スロットＳ４，Ｓ５，・・・ＳＮの幅を有する場合を示す。この場合の実装情報は、図４に示すように、チャネル盤Ａを実装するスロットＳ１対応の実装情報１を多重化部１へ送出することになるが、スロットＳ２，Ｓ３対応の実装情報２，３は送出されない。又他のチャネル盤Ｂ，Ｃについては、実装スロットＳ４，Ｓ５に実装することにより、実装情報４，５として多重化部１へ送出することになる。
【００２２】
実装スロットＳ１〜Ｓ３の幅を占有するチャネル盤Ａは、搭載部品が他のチャネル盤の搭載部品に比較して大型の部品を使用したことにより、他のチャネル盤Ｂ，Ｃの３倍の幅を占める大きさとなった場合を示すものであるが、処理帯域は１タイムスロット分の場合を示す。従って、受信データと、イネーブル信号と、アクノリッジ信号との関係は、図５に示すものとなる。即ち、チャネル盤Ａは、イネーブル１の信号を受信することにより、１タイムスロット分を示すアクノリッジ１を送出し、タイムスロットＴＳ１の受信データを処理する。又実装スロットＳ２，Ｓ３は空き状態に相当するから、イネーブル２，３及びアクノリッジ２，３の各信号の送受信は行われない。次のタイムスロットＴＳ２の受信データに対するイネーブル４の信号がチャネル盤Ｂに送出され、このチャネル盤Ｂは、３タイムスロットＴＳ２，ＴＳ３，ＴＳ４の受信データを処理する場合を示し、イネーブル４の信号に対するアクノリッジ４の信号は、タイムスロットＴＳ２，ＴＳ３，ＴＳ４の時間長を示すものとする。それにより、次のタイムスロットＴＳ５の受信データを処理するチャネル盤Ｃに対しては、タイムスロットＴＳ５の先頭位置を示すイネーブル５の信号を送出し、チャネル盤Ｃは、イネーブル５の信号を基にタイムスロットＴＳ５の受信データを処理すると共に、１タイムスロット分の処理を行うことを示すアクノリッジ５の信号を多重化部へ送出する。従って、チャネル盤の大きさや実装スロット位置を統一化されていない場合でも、チャネル盤の処理能力に対応したデータの受信処理並びに送信処理を実行することができる。
【符号の説明】
【００２３】
１  多重化部
２  チャネル盤
３  多重処理部
４  制御処理部
５  設定スイッチ
６  チャネル制御部
【図１】
2011259358.tif 000003
【図２】
2011259358.tif 000004
【図３】
2011259358.tif 000005
【図４】
2011259358.tif 000006
【図５】
2011259358.tif 000007
【図６】
2011259358.tif 000008
【図７】
2011259358.tif 000009
【図８】
2011259358.tif 000010